(57)【要約】【課題】撮影者が自分自身を撮影することが簡単に行えるカメラを提供する。【解決手段】撮影画像を表示するモニタをデジタルカメラ本体に備えたデジタルカメラ装置であって、前記撮影画像を前記モニタに送信する画像送信手段と、前記モニタの位置を検出するモニタ位置検出手段と、前記モニタに表示する画像を制御するモニタ画像制御手段と、を備え、前記モニタは、前記デジタルカメラ本体に着脱自在に取り付けられ、前記モニタ画像制御手段は、前記モニタ位置検出手段により検出された前記モニタの位置が前記デジタルカメラ本体よりも撮影している方向にある場合に、前記モニタに表示する前記撮影画像を左右反転させる。【選択図】図１
2011103700.tif 000002
【特許請求の範囲】
【請求項１】
撮影画像を表示するモニタをデジタルカメラ本体に備えたデジタルカメラ装置であって、
前記撮影画像を前記モニタに送信する画像送信手段と、
前記モニタの位置を検出するモニタ位置検出手段と、
前記モニタに表示する画像を制御するモニタ画像制御手段と、を備え、
前記モニタは、前記デジタルカメラ本体に着脱自在に取り付けられ、
前記モニタ画像制御手段は、前記モニタ位置検出手段により検出された前記モニタの位置が前記デジタルカメラ本体よりも撮影している方向にある場合に、前記モニタに表示する前記撮影画像を左右反転させることを特徴とするデジタルカメラ装置。
【請求項２】
請求項１に記載のデジタルカメラ装置であって、
前記モニタは、前記デジタルカメラ本体を遠隔操作するリモコン装置を備えることを特徴とするデジタルカメラ装置。
【請求項３】
請求項１に記載のデジタルカメラ装置であって、
前記モニタは露出を測定する露出計を備え、
前記露出計は、測定した露出情報を前記デジタルカメラ本体に送信し、
前記デジタルカメラ本体は、前記モニタ位置検出手段により検出された前記モニタの位置が前記デジタルカメラ本体よりも撮影している方向にある場合に前記露出情報を使用することを特徴とするデジタルカメラ装置。
【請求項４】
請求項１に記載のデジタルカメラ装置であって
前記モニタ画像制御手段は、前記モニタ位置検出手段により検出された前記モニタの位置が前記デジタルカメラ本体よりも撮影している方向にある場合に、モニタに表示する前記撮影画像に前記撮影画像内の所定の単位を基準としたスケールを示すスケール画像を追加することを特徴とするデジタルカメラ装置。
【請求項５】
請求項４に記載のデジタルカメラ装置であって、
前記モニタ画像制御手段は、前記モニタに表示する前記撮影画像内の画素数を単位にした前記スケールを示す前記スケール画像を前記撮影画像に追加することを特徴とするデジタルカメラ装置。
【請求項６】
請求項４に記載のデジタルカメラ装置であって、
前記モニタ画像制御手段は、前記デジタルカメラ本体から前記撮影画像の中の被写体までの距離と、被写体の実際のサイズと画像データの中のサイズの比を表す倍率を用いて実際の距離を単位にした前記スケールを示す前記スケール画像を画像データに追加することを特徴とするデジタルカメラ装置。
【請求項７】
請求項２に記載のデジタルカメラ装置であって、
前記デジタルカメラ本体の撮影方向を変更するための撮影方向変更手段をさらに有し、
前記リモコン装置は、前記撮影方向変更手段を遠隔操作することを特徴とするデジタルカメラ装置。
【請求項８】
請求項４に記載のデジタルカメラ装置であって、
前記デジタルカメラ本体の撮影方向を変更するための撮影方向変更手段をさらに有し、
前記リモコン装置は、前記モニタに表示された前記スケールを基準に前記撮影方向変更手段に対する前記撮影方向の変更量を指示することで、前記撮影方向変更手段を遠隔操作することを特徴とするデジタルカメラ装置。
【発明の詳細な説明】
【技術分野】
【０００１】
本発明は、撮影画像をモニタできるデジタルカメラに関し、特にデジタルカメラ本体から分離可能なモニタを持つデジタルカメラに関する。
【背景技術】
【０００２】
従来、カメラを遠隔操作できるリモコン装置付きカメラが提案されている（例えば、特許文献１）。特許文献１のリモコン装置付きカメラは、カメラ本体とリモコン装置を赤外線で通信させることによって、カメラのシャッタ、ストロボ、ズームなどを遠隔操作できるようにしている。このリモコン装置を用いてカメラを遠隔操作することにより、カメラの操作の自由度が上がり撮影がより便利になる。例えば、カメラを三脚に固定して撮影者自身を撮影する場合など、撮影者がカメラの所に行って操作しなくても良いので便利である。
【０００３】
また、特許文献２には、ビデオカメラ本体に着脱可能な液晶モニタを備え、ビデオカメラ本体から液晶モニタを取り外した状態でも撮影画像や再生画像をモニタできるようにしたビデオカメラが開示されている。このビデオカメラは、ビデオカメラ本体から画像を赤外線信号を用いて送信することにより、ビデオカメラ本体から液晶モニタを取り外した状態でも撮影画像や再生画像を見れるようにしている。
【先行技術文献】
【特許文献】
【０００４】
【特許文献１】特開平７−２４４３３０号公報
【特許文献２】特開平９−４６５６４号公報
【発明の概要】
【発明が解決しようとする課題】
【０００５】
しかしながら、特許文献１のリモコン装置付きカメラは、カメラが撮影している撮影画像を確認するためには、カメラのところに行って見なければならない。特に撮影者が自分自身を撮影する場合は、撮影画像の中に映っている撮影者に位置の調整など撮影画像の構図の調整が困難であるという問題がある。
【０００６】
また、特許文献２のビデオカメラで撮影者が自分自身を撮影する場合は、撮影者とビデオカメラが向かい合うことになるため、液晶モニタに表示される撮影画像の左右と実際の左右が逆になってしまう。そのため、撮影画像の中の方向と実際の方向が逆になってしまい、液晶モニタを見ながら撮影画像の中の配置など構図を調整することが難しくなる。
【０００７】
本発明は、このような従来の問題点に着目してなされたもので、その目的は、撮影者が自分自身を撮影することが簡単に行えるカメラを提供することにある。
【課題を解決するための手段】
【０００８】
本発明に係るデジタルカメラ装置は、上記課題を解決すべく、基本的に、撮影画像を表示するモニタをデジタルカメラ本体に備えたデジタルカメラ装置であって、前記撮影画像を前記モニタに送信する画像送信手段と、前記モニタの位置を検出するモニタ位置検出手段と、前記モニタに表示する画像を制御するモニタ画像制御手段と、を備え、前記モニタは、前記デジタルカメラ本体に着脱自在に取り付けられ、前記モニタ画像制御手段は、前記モニタ位置検出手段により検出された前記モニタの位置が前記デジタルカメラ本体よりも撮影している方向にある場合に、前記モニタに表示する前記撮影画像を左右反転させることを要旨とする。
【０００９】
本発明に係るデジタルカメラ装置によれば、モニタ画像制御手段は、モニタがデジタルカメラ本体から取り外されデジタルカメラ本体が撮影している方向に位置しているとモニタ位置検出手段が検出したときに、画像送信手段がモニタに送信しモニタに表示させる撮影画像を、左右反転させる。こうすれば、撮影者がデジタルカメラ本体の方を向いて向き、モニタを見ながら自分自身を撮影する場合、すなわち、モニタがデジタルカメラ本体から取り外されデジタルカメラ本体よりも撮影方向にある場合は、モニタに表示される撮影映像は左右反転表示される。そのため、モニタの表示されている撮影映像の左右と実際の左右が一致するので、撮影画像の中で撮影者の位置などの構図の調整が簡単にできる。
【００１０】
また、上記した本発明に係るデジタルカメラ装置では、前記モニタは、前記デジタルカメラ本体を遠隔操作するリモコン装置を備える。
【００１１】
こうすれば、撮影者が自分自身を撮影する場合、リモコン装置によって、デジタルカメラ本体の操作ができるので、より撮影が簡単になる。
【００１２】
また、上記した本発明に係るデジタルカメラ装置では、前記モニタは露出を測定する露出計を備え、前記露出計は、測定した露出情報を前記デジタルカメラ本体に送信し、前記デジタルカメラ本体は、前記モニタ位置検出手段により検出された前記モニタの位置が前記デジタルカメラ本体よりも撮影している方向にある場合に前記露出情報を使用する。
【００１３】
こうすれば、モニタがデジタルカメラ本体よりも撮影している方向にある場合、すなわち、撮影対象に近い位置にモニタがある場合にモニタで計測した露出情報をデジタルカメラ本体は使用することができる。
【００１４】
また、上記した本発明に係るデジタルカメラ装置では、前記モニタ画像制御手段は、前記モニタ位置検出手段により検出された前記モニタの位置が前記デジタルカメラ本体よりも撮影している方向にある場合に、モニタに表示する前記撮影画像に前記撮影画像内の所定の単位を基準としたスケールを示すスケール画像を追加する。
【００１５】
こうすれば、モニタに表示されたスケールを見て撮影画像の中の構図を調整することができる。
【００１６】
また、上記した本発明に係るデジタルカメラ装置では、前記モニタ画像制御手段は、前記モニタに表示する前記撮影画像内の画素数を単位にした前記スケールを示す前記スケール画像を前記撮影画像に追加する。
【００１７】
こうすれば、モニタ画像制御手段は、撮影画像の画素数だけを基準にスケールを追加できるので処理が簡単になる。
【００１８】
また、上記した本発明に係るデジタルカメラ装置では、前記モニタ画像制御手段は、前記デジタルカメラ本体から前記撮影画像の中の被写体までの距離と、被写体の実際のサイズと画像データの中のサイズの比を表す倍率を用いて実際の距離を単位にした前記スケールを示す前記スケール画像を画像データに追加する。
【００１９】
こうすれば、モニタに表示される撮影画像には、実際の距離を基準としたスケールが追加されることになる。そのため、撮影画像の中に撮影されている物体を移動させて構図を調整する場合に、実際の距離での移動量を知ることができる。
【００２０】
また、上記した本発明に係るデジタルカメラ装置では、前記デジタルカメラ本体の撮影方向を変更するための撮影方向変更手段をさらに有し、前記リモコン装置は、前記撮影方向変更手段を遠隔操作する。
【００２１】
こうすれば、モニタに表示された撮影画像のスケールを見ながらデジタルカメラ本体の撮影方向を変更することができる。
【００２２】
また、上記した本発明に係るデジタルカメラ装置では、前記デジタルカメラ本体の撮影方向を変更するための撮影方向変更手段をさらに有し、前記リモコン装置は、前記モニタに表示された前記スケールを基準に前記撮影方向変更手段に対する前記撮影方向の変更量を指示することで、前記撮影方向変更手段を遠隔操作する。
【００２３】
こうすれば、モニタに表示された撮影画像のスケールを見て必要な移動量を撮影方向変更手段に指示できるので、撮影方向の変更が正確に行うことができる。
【図面の簡単な説明】
【００２４】
【図１】本発明の一実施例によるデジタルカメラ装置の構成概略を説明するための説明図。
【図２】デジタルカメラ本体のレンズのある面の反対側の概観を説明するための説明図。
【図３】デジタルカメラ本体に取り付けたときに隠れる側から見たモニタの斜視図。
【図４】デジタルカメラ本体のレンズ側の概観を説明するための説明図。
【図５】モニタがデジタルカメラ本体よりも撮影方向にある場合のデジタルカメラ本体の処理手順を説明するためのフローチャート。
【図６】モニタに表示される画像データを説明するための説明図。
【図７】撮影方向を変更させる指示をしているときのモニタに表示される画像データを説明するための説明図。
【図８】変形例１のモニタに表示される画像データを説明するための説明図。
【発明を実施するための形態】
【００２５】
以下、本発明を具体化した実施例について図面を用いて説明する。
【実施例１】
【００２６】
図１は本発明の一実施例によるデジタルカメラ装置の構造を説明するための説明図である。デジタルカメラ装置は、デジタルカメラ本体１００と、デジタルカメラ本体１００に着脱自在に取り付けられたモニタ２００から構成される。
【００２７】
デジタルカメラ本体１００は、レンズ１、絞り機構２、シャッタ３等からなる光学系を有し、この光学系を介して撮影対象からの撮像光を受光して電気信号に変換するＣＣＤ４を備える。また、デジタルカメラ本体１００は、ＣＣＤ４からの信号を処理して多値（Ｒ，Ｇ，Ｂ）の画像データである撮影画像を出力する画像データ作成部５、画像データ作成部５が作成した画像データを一時的に格納するフレームメモリ６、及びフレームメモリ６上の画像データをＩ／Ｆ１０又は記録媒体制御部８に出力する画像データ出力部７を備える。
【００２８】
画像データ出力部７が出力した画像データは記録媒体制御部８を介して記録媒体９に格納され、必要に応じてＩ／Ｆ１０を介して外部に出力される。さらに、デジタルカメラ本体１００は、光学系を制御する光学系制御部１１、モニタ画像制御手段２０、画像送信手段２２、撮影方向変更手段２４、モニタ位置検出手段２６を備える。
【００２９】
また、モニタ２００は、デジタルカメラ本体１００から送られてきた画像データを表示するＬＣＤ３２を備える。さらに、モニタ２００は、デジタルカメラ本体１００を遠隔操作するためのリモコン装置２８、及び露出計３０を備える。
【００３０】
デジタルカメラ本体１００とモニタ２００は、赤外線信号を用いて通信を行いお互いに情報を交換する。画像送信手段２２は、画像データ作成部５が作成した画像データを赤外線信号を介してモニタ２００に送信する。モニタ２００が受信した画像データはＬＣＤ３２に表示される。リモコン装置２８によるデジタルカメラ本体１００に対する操作指示及び露出計３０による計測値は、モニタ２００からデジタルカメラ本体１００へ赤外線信号を介して送信される。
【００３１】
画像データ出力部７は、リモコン装置２８が備えているシャッタボタン１２０（図２参照）が押されると、画像データ作成部５が作成しフレームメモリ６に格納されている画像データから、ＪＰＥＧ圧縮したＪＰＥＧ画像データと、画像を縮小したサムネイル画像を作成しＩ／Ｆ１０又は記録媒体制御部８に出力する。
【００３２】
記録媒体制御部８は、画像データ出力部７の出力したＪＰＥＧ画像データ及びサムネイル画像を記録媒体９の所定の位置へ記録する処理と、記録されたＪＰＥＧ画像データの読み出し処理を行う。また、Ｉ／Ｆ１０は、シリアル又はパラレルなどで外部装置とデータの授受を行うためのものであり、記録媒体９に格納されたＪＰＥＧ画像データをＩ／Ｆ１０を介して外部装置、例えば、パソコン等のコンピュータ装置、モデム、プリンタ等に出力する。記録媒体９は、デジタルカメラ本体１００の内部に固定されたフラッシュメモリ及び／又は着脱可能なメモリカード等の拡張記録媒体である。
【００３３】
モニタ位置検出手段２６は、モニタ２００がデジタルカメラ本体１００から取り外され、撮影方向、すなわち、デジタルカメラ本体１００のレンズ１が向いている方向にあるかどうかを検出する。
【００３４】
光学系制御部１１は、モニタ２００がデジタルカメラ本体１００から取り外されデジタルカメラ本体１００の撮影方向にあるとモニタ位置検出手段２６が検出したときに、モニタ２００から露出計３０の計測値を赤外線信号を介して取得する。そして、取得した露出計３０の計測値を用いて、絞り機構２及びシャッタ３等を制御し、また、ＣＣＤ４の蓄積時間等を制御して露出を適正に制御する。また、モニタ２００がデジタルカメラ本体１００に取り付けられたままになっている場合など、露出計３０の計測値を取得しない場合は、画像データ全体から明るさを算出し、この明るさを用いて、絞り機構２、シャッタ３、ＣＣＤ４の蓄積時間等を制御して露出を適正に制御する。
【００３５】
モニタ画像制御手段２０は、モニタ２００がデジタルカメラ本体１００から取り外されデジタルカメラ本体１００の撮影方向にあるとモニタ位置検出手段２６が検出したときに、画像送信手段２２が送信する画像データの左右を反転させる。さらに、モニタ画像制御手段２０は、画像送信手段２２が送信する画像データにスケール画像を追加する。
【００３６】
撮影方向変更手段２４は、デジタルカメラ本体１００の撮影方向をリモコン装置２８で指示された方向に変更する。
【００３７】
制御部１５は、ＣＰＵ１６、ＲＯＭ１７及びＲＡＭ１８等から構成され、画像データ作成部５、画像データ出力部７、記録媒体制御部８、光学系制御部１１、モニタ画像制御手段２０、画像送信手段２２、撮影方向変更手段２４、モニタ位置検出手段２６の動作制御、画像処理および画像圧縮・伸張処理等の実行を制御する。なお、ＲＯＭ１７にはデジタルカメラ本体１００の動作制御、データ圧縮・伸張処理等内部でのデータ処理に必要なプログラム群が格納されている。
【００３８】
図２は、実施例１のデジタルカメラ本体１００のレンズ１のある面の反対側の概観を説明するための説明図である。図２は、モニタ２００をデジタルカメラ本体１００に取り付けた状態の図である。モニタ２００は、画像データを表示するＬＣＤ３２と、リモコン装置２８の操作スイッチとして、シャッタボタン１２０、ズームボタン１１０、カーソルキー１３０、撮影方向変更ボタン１３２など、デジタルカメラ本体１００を操作するための複数のスイッチを有する。また、取外ボタン１４０は、モニタ２００をデジタルカメラ本体１００から取り外すためのボタンである。取外ボタン１４０を押しながら凹部１５０に指をかけてモニタ２００を引き出すと、モニタ２００をデジタルカメラ本体１００から取り外すことができる。さらに、デジタルカメラ本体１００は、撮影方向変更手段２４の駆動部としてのパンチルト機構１３４を備える。撮影方向変更手段２４は、パンチルト機構１３４のモータを制御して、デジタルカメラ本体の撮影方向を上下左右に変更させる。
【００３９】
図３は、モニタ２００の裏面の形状を説明するための斜視図である。取り付けフック１９０は、モニタ２００をデジタルカメラ本体１００に固定するためのフックである。赤外線送受信窓２１０は、赤外線の投光部と受光部から構成され、赤外線信号の送受信を行う。露出計３０は、露出を計測し、計測値を赤外線でデジタルカメラ本体１００に送信する。
【００４０】
図４は、実施例１のデジタルカメラ本体１００のレンズ１側の面の形状を説明するための図である。赤外線送受信窓１８０は、赤外線の投光部と受光部から構成され、赤外線信号の送受信を行う。ストロボ発光部１７０は、夜間の撮影のときにストロボを発光する。デジタルカメラ本体１００とモニタ２００は、赤外線送受信窓２１０及び赤外線送受信窓１８０で送受信される赤外線信号で通信を行う。
【００４１】
また、モニタ位置検出手段２６は、デジタルカメラ本体１００とモニタ２００が赤外線で通信可能な場合は、デジタルカメラ本体１００の赤外線送受信窓１８０から投光される赤外線を受光可能な位置、すなわち、レンズ１で撮影できる方向である撮影方向にモニタ２００があると判断する。
【００４２】
露出計３０が測定した計測値は、赤外線を使ってデジタルカメラ本体１００に送信され、光学系制御部１１が受け取る。そして、モニタ位置検出手段２６が、モニタ２００がデジタルカメラ本体１００よりも撮影方向にあると判断すると、光学系制御部１１は、絞り機構２、シャッタ３、ＣＣＤ４の蓄積時間等を、露出計３０の計測値を用いて制御して露出を適正に制御する。
【００４３】
デジタルカメラ本体１００よりも撮影方向にあるときは、被写体となる人物か又は被写体のそばにいる人物がモニタ２００を持っている可能性が高い。そのため、モニタ２００にある露出計３０で計測した計測値は、被写体の露出を的確に表しているといえるので、この計測値を用いることで、より正確な露出の制御が可能となる。また、被写体となる人物か又は被写体のそばにいる人物がモニタ２００を持っていない場合でも、デジタルカメラ本体１００よりは被写体に近い位置にモニタ２００があるといえる。この場合でも、デジタルカメラ本体１００で露出を計測して露出の制御をするよりは、正確に露出の制御ができる。
【００４４】
一方、モニタ２００がデジタルカメラ本体１００に取り付けられている場合か、又はモニタ２００がデジタルカメラ本体１００の後方にある場合は、モニタ位置検出手段２６はモニタ２００がデジタルカメラ本体１００よりも撮影方向にないと判断する。この場合は、モニタ２００よりもデジタルカメラ本体１００の方が被写体に近いので、従来と同じ方法で露出の制御を行うことで適切な露出の制御が可能になる。例えば、撮影画像全体の明るさを元にして露出の制御を行うか、又は、モニタ２００がデジタルカメラ本体１００に取り付けられている場合は露出計３０の計測値を用いて露出の制御を行う。
【００４５】
図５は、モニタ２００がデジタルカメラ本体１００よりも撮影方向にある場合のデジタルカメラ本体１００の処理手順を説明するためのフローチャートである。この処理は、デジタルカメラ本体１００が、モニタ２００からの赤外線信号を受信するたびに開始される。
【００４６】
処理が始まるとステップＳ１００にて、モニタ位置検出手段２６は、モニタ２００の位置を検出する。モニタ位置検出手段２６は、デジタルカメラ本体１００とモニタ２００が赤外線で通信可能な場合は、モニタ２００が撮影方向にあると判断する。次に、ステップＳ１１０にて、モニタ位置検出手段２６が検出したモニタ２００の位置が撮影方向であるかどうか調べる。モニタ２００の位置が撮影方向である場合は、ステップＳ１２０に進む。一方、モニタ２００の位置が撮影方向にないと判断した場合は、ステップＳ１８０に進み、画像データ作成部５が作成した画像データをそのままモニタ２００に送信する。
【００４７】
ステップＳ１２０にて、モニタ画像制御手段２０は、画像データ作成部５が作成した画像データを左右反転させた画像であるモニタ送信画像を生成する。
【００４８】
図６は、ＬＣＤ３２に表示された画像データの例である。これは、デジタルカメラ本体１００から取り外したモニタ２００を撮影者が手に持ち、撮影者が被写体となり自分自身を撮影しようとしているときの例である。この時、モニタ位置検出手段２６により、モニタ２００がデジタルカメラ本体１００よりも撮影方向にあると判断されるので、ＬＣＤ３２に表示されている画像は、モニタ画像制御手段２０により左右反転される。そのため、ＬＣＤ３２に表示された画像を見たときの左右と実際の左右が一致するので、ＬＣＤ３２に表示された画像を見て、撮影されているものの位置を移動する場合、移動方向が直感的にわかるようになる。
【００４９】
ステップＳ１３０にて、モニタ画像制御部２０は、モニタ送信画像にスケール画像を追加する。ＬＣＤ３２に表示される画像（図６）の下部には、モニタ画像制御手段２０により、スケール画像３００が追加されている。スケール画像３００は、ＬＣＤ３２の画素を基準としたスケールであり、例えば、５０画素単位にメモリが作られる。撮影者は、このメモリを頼りにＬＣＤ３２に表示されている画像の中の位置関係を把握して構図を調整する。
【００５０】
図６では、撮影者が少し左によった画像となっている。これを撮影者が中央になる構図に調整しようとした場合、図６の画像から、撮影者は１メモリ分右に移動すればよいことがわかる。また、モニタ２００の幅がちょうど１メモリになっているので、右に移動する距離はモニタ２００の幅の半分ぐらいでよいことがわかる。このように、移動する距離はスケール画像３００を基準にして目安をつけることができるので、構図の調整が簡単である。
【００５１】
また、モニタ２００はシャッタボタン１２０等デジタルカメラ本体１００を遠隔操作することができる。ＬＣＤ３２に表示された画像を見て構図を調整した後、すぐにシャッタボタン１２０を押す等デジタルカメラ本体１００の操作をすることができる。そのため、デジタルカメラ本体１００の元に戻る必要はない。
【００５２】
ステップＳ１４０にて、デジタルカメラ本体１００が受信した赤外線信号に露出計３０の計測した計測値が含まれている場合は、露出計３０の計測した計測値を取得する。そして、光学系制御部１１は、取得した露出計３０の計測値を用いて、露出を適正に制御する。
【００５３】
図７は、カーソルキー１３０を操作しているときのＬＣＤ３２に表示される画像を説明するための説明図である。ステップＳ１５０にて、デジタルカメラ本体１００が受信した赤外線信号にカーソルキー１３０の信号が含まれている場合は、モニタ画像制御手段２０は、カーソルキー１３０の信号を取得する。そして、最初にカーソルキー１３０の信号を取得すると、モニタ画像制御手段２０は、内部状態をマーク表示中にし、マーク３２０の位置を中央とする。また、内部状態がマーク表示中のときに、すなわち、カーソルキー１３０の信号を取得したのが２回目以降のときに、カーソルキー１３０の信号を取得すると、モニタ画像制御手段２０は、マーク３２０の位置をカーソルキー１３０に従って移動する。
【００５４】
ステップＳ１６０にて、内部状態がマーク表示中の場合は、モニタ画像制御手段２０は、モニタ送信画像のステップＳ１５０で設定された位置にマーク３２０を追加する。
【００５５】
ステップＳ１７０にて、デジタルカメラ本体１００が受信した赤外線信号に撮影方向変更ボタン１３２の信号が含まれている場合は、撮影方向変更ボタン１３２の信号を取得し、撮影方向変更ボタン１３２が押されているかどうかを調べる。撮影方向変更ボタン１３２が押されている場合は、撮影方向変更手段２４は、パンチルト機構１３４が作動させてマーク３２０が画像の中央になるようにデジタルカメラ本体１００の撮影方向を変更する。
【００５６】
このようにリモコン装置２８に備えられたカーソルキー１３０、撮影方向変更ボタン１３２により、撮影方向を変更することができるので、ＬＣＤ３２に表示された画像を見ながら撮影方向の変更ができ、撮影方向の変更が簡単になる。
【００５７】
ステップＳ１８０にて、画像送信手段２２は、モニタ送信画像をモニタ２００に送信し、モニタ２００のＬＣＤ３２にモニタ送信画像を表示させる。
【００５８】
実施例１では、撮影方向の指示をカーソルキー１３０と撮影方向変更ボタン１３２で行ったが、方向とメモリ画像で表示されているメモリ数で指示しても良い。例えば、”左方向に１メモリ分移動”というように指示する。指示の入力が、別途用意するキーボード、音声認識などを利用する。
【００５９】
以下、前記実施例１のデジタルカメラ装置に関する変形例を記載する。
（変形例１）
図８は、変形例１でＬＣＤ３２に表示される画像を説明するための図である。モニタ画像制御手段２０は、ＬＣＤ３２の画素数を基準としたスケール画像３００の代わりに、実際の距離を基準としたスケール画像３１０を画像データに追加する。モニタ位置検出手段２６は、レンズ１の焦点距離と倍率を用いて、画像データの中のピントのあっている部分における画素数と距離の比率を算出する。こうすれば、スケール画像３１０を見れば、構図を調整する場合、どのぐらい移動すればよいかを実際の距離で知ることができる。
【符号の説明】
【００６０】
１…レンズ、２…パンチルト機構、３…シャッタ、４…ＣＣＤ、５…画像データ作成部、６…フレームメモリ、７…画像データ出力部、８…記録媒体制御部、９…記録媒体、１０…Ｉ／Ｆ、１１…光学系制御部、１５…制御部、１６…ＣＰＵ、１７…ＲＯＭ、１８…ＲＡＭ、２０…モニタ画像制御手段、２２…画像送信手段、２４…撮影方向変更手段、２６…モニタ位置検出手段、２８…リモコン装置、３０…露出計、３２…ＬＣＤ、１００…デジタルカメラ本体、１１０…ズームボタン、１２０…シャッタボタン、１３０…カーソルキー、１３２…撮影方向変更ボタン、１３４…パンチルト機構、１４０…取外ボタン、１５０…凹部、１７０…ストロボ発光部、１８０…赤外線送受信窓、１９０…取り付けフック、２００…モニタ、２１０…赤外線送受信窓、３００…スケール画像、３１０…スケール画像、３２０…マーク。
【図１】
2011103700.tif 000003
【図２】
2011103700.tif 000004
【図３】
2011103700.tif 000005
【図４】
2011103700.tif 000006
【図５】
2011103700.tif 000007
【図６】
2011103700.tif 000008
【図７】
2011103700.tif 000009
【図８】
2011103700.tif 000010
【手続補正書】
【提出日】平成23年3月17日(2011.3.17)
【手続補正１】
【補正対象書類名】特許請求の範囲
【補正対象項目名】全文
【補正方法】変更
【補正の内容】
【特許請求の範囲】
【請求項１】
撮影画像を表示するモニタとデジタルカメラ本体とが通信可能なデジタルカメラ装置で
あって、
前記モニタから送信された操作情報によって、前記撮影画像にマーク画像を追加し、
前記マーク画像が、前記撮影画像の中央になるように、前記デジタルカメラ本体の撮影方向を変更することを特徴とするデジタルカメラ装置。